(57)【特許請求の範囲】
【請求項１】
記録紙の搬送路をはさむように配置された可動刃と固定刃により、前記記録紙の一部を残して切断するカッタ機構の付いたプリンタにおいて、
前記可動刃の作動範囲に開口部を備え前記搬送路を形成する案内部材の前記固定刃側もしくは前記可動刃側の少なくとも一方は、前記可動刃の軌道を塞ぐことなく前記記録紙の切り残された接続部近傍を規制する規制部を有することを特徴とするカッタ機構付プリンタ。
【請求項２】
前記規制部は、前記案内部材の前記固定刃側及び前記可動刃側の両方に形成されることを特徴とする請求項１記載のカッタ機構付きプリンタ。
【発明の詳細な説明】
【０００１】
【発明の属する技術分野】
本発明は、記録紙の切断を行うカッタ機構をもったプリンタなどの印刷装置に関するものである。
【０００２】
【従来の技術】
この種のプリンタに装備されたオ−トカッタのカット機構としては、実開昭６２−１０６７９２号公報に記載されているような一対の刃物の刃先を交差圧接しながら、一端より他端へと順次鋏式に切断するタイプのものや、前述のような鋏式の可動刃を記録紙の両側に配置して、両端から切断を始める特開平５−１０４４８４号公報記載のタイプのもの、或いは、同じ両側から切断のものでも、可動刃がＶ字形の刃先をしたスライド式タイプの特開平１−２８９６９７号公報記載の従来技術が知られている。
【０００３】
これらのカット機構による記録紙の切断を行うプリンタでは、記録紙の搬送路の可動刃と対向する側が、可動刃が移動するために記録紙の幅全域にわたって開口部が設けられていた。この開口部は、記録紙の両端のいづれか一方、又は中央部の一部に切断しない接続部を残して切断される場合も同様に設けられていた。
【０００４】
図６は、カット部周辺の記録紙の搬送路を側面から見たものである。図６を用いて詳述すると、紙送り及び印刷機構部３１で印刷された記録紙１０は、カッタフレ−ム１４の通紙口１１から、固定刃３と可動刃２との間の経路を、そしてカッタカバ−１３とプリンタカバ−１６の間の排紙口１８を通って送られ、所望の長さで切断される。
【０００５】
記録紙１０の切断は、可動刃２が搬送路を横切って固定刃３側へ移動することで行われるため、可動刃２の通り口として、プリンタカバ−１６には開口部１９があり、カッタカバ−１３には開口部２０があり、これらは記録紙１０の紙幅全域に渡って設けられている。
【０００６】
【発明が解決しようとする課題】
しかしながら、切断する一部を切り残すオ−トカッタを備えたプリンタにおいては、次のような問題がある。
【０００７】
記録紙に印刷後に一部が切り残されて切断された記録紙１０は、オペレ−タにより引っ張られて完全に切り離されるが、記録紙を摘まんでいるときに次の紙送りが行われた場合、或いは、オペレータが不在で部分切断された記録紙１０がプリンタ上に溜まった等の場合に、紙ジャムが発生するものであった。
【０００８】
すなわち、取り除かれない紙に力が加えられ、次の紙送りでの紙の排出を妨げるような場合、紙送りが始まってすぐに接続部で紙折れとなり、記録紙１０は、可動刃側又は固定刃側の開口部２０、１９から、図６の１０ａ、１０ｂのように搬送路外へ紙が進入して紙ジャムに至る。
【０００９】
そこで本発明の目的は、排出された記録紙の取り扱いに関わらず、紙ジャムの起こり難い、部分切断用オ−トカッタ付プリンタを提供することである。
【００１０】
【課題を解決するための手段】
上記目的を達成する為に、本発明によるところの記録紙を部分切断するカッタ機構の付いたプリンタは、前記可動刃の作動範囲に開口部を備え前記搬送路を形成する案内部材の前記固定刃側もしくは前記可動刃側の少なくとも一方は、前記可動刃の軌道を塞ぐことなく前記記録紙の切り残された接続部近傍を規制する規制部を有することを特徴とする。
【００１１】
上記構成によれば、記録紙の接続部近傍が規制部により移動が規制されるので剛性が弱い接続部で紙折れとなっても、接続部が規制部に沿って排紙口の方へ移動し、切断された上流側の記録紙の先端部は接続部に導かれて排紙口へ移動され紙ジャムは発生しない。
【００１２】
【発明の実施の形態】
以下、本発明に係るプリンタの一実施の形態の形態を図１〜図５を参照して詳細に説明する。
【００１３】
本発明に係るプリンタは、図３に示すように構成されている。すなわち記録紙収納部３０に置かれたロ−ル状の記録紙１０は、紙送り及び印刷機構部３１で印刷されカッタ機構部３２に入る。そこで記録紙の一部を切り残して切断が為されてプリンタから排出される。
【００１４】
図４は、カッタ機構部３２を平面状態でみたときの説明図である。可動刃２と固定刃３でハサミを構成し、モ−タ６の回転でウオーム７、歯車８が回転し、歯車８に付いたピン９と可動刃２に設けられた長穴の係合により、可動刃２は支軸４を支点として往復回動をする。この時の可動刃２と固定刃３の切り刃部の交叉摺動により、カッタフレ−ム１４に設けられた通紙口１１を通って、可動刃２と固定刃３の間にある記録紙１０が切断される。可動刃２は、記録紙１０の全幅を切る長さより短く設定してあり、切り残された接続部１２で記録紙１０はつながっている。
【００１５】
図１は、本実施の形態のプリンタのカッタ機構部３２の紙切断部を固定刃３側からみた斜視図である。可動刃２は支軸４を介し、固定刃３は直接、カッタフレ−ム１４に保持されている。可動刃２の上部はカッタカバ−１３で覆われ、固定刃３の上部はプリンタカバ−１６（図５参照）で覆われている。カッタカバ−１３の固定刃３側は、記録紙の１０ガイド面１３ａ、１３ｂ及び１３ｃとなっており、ガイド面１３ｃの横には、可動刃２の出入り口１５が設けてある。これらのガイド面は、通紙口１１を通ってきた記録紙１０の搬送路の片側を形成する。ガイド面１３ｃは可動刃２の軌道を塞ぐことなく、通紙口１１の上部において、接続部１２をガイドする搬送路となるように設定してある。
【００１６】
図２は、本実施の形態のプリンタのカッタ機構部３２の紙切断部を可動刃２側からみた斜視図である。固定刃３の上部を覆うプリンタカバ−１６には、可動刃２がプリンタカバー１６と衝突しないように開口部の出入り口１７が設けられ、その可動刃２の先端側には記録紙１０を当接して案内するガイド面１６ａが、また、出入り口１７の下流側には記録紙１０のプリンタカバー１６側への移動を規制するガイド面１６ａ、１６ｂが形成されている。
【００１７】
これらのガイド面は、通紙口１１を通ってきた記録紙１０の搬送路の片側を形成する。ガイド面１６ａは、可動刃２の軌道を塞ぐことなく、通紙口１１の上部において、接続部１２をガイドする搬送路を形成する。
【００１８】
次に、カッタ機構部２２の紙切断部を、側面からみた図５を用いて、前記ガイド面１３ｃ及び前記ガイド面１６ａの機能について説明する。
【００１９】
紙送り及び印刷機構部３１から送られてきた記録紙１０は、カッタフレ−ム１４に設けられた通紙口１１を通り、可動刃２と固定刃３の間、そしてカッタカバ−１３とプリンタカバ−１６により形成された搬送路１８を通ってプリンタの外へ排出され、所望する位置で可動刃２を回動し、記録紙１０の接続部１２をを残して切断される。
【００２０】
通常、切断された記録紙は、オペレ−タにより接続部１２を千切って取り出されるか、次の印刷により押し出される。
【００２１】
しかしながら、オペレータが記録紙を摘まんでいるときに次の紙送りが行われた場合、或いは、オペレータが不在で部分切断された記録紙１０がプリンタ上に溜まった等の場合に次の紙送りが行われると、記録紙１０の接続部１２で紙折れとなり、送られてくる記録紙１０は折れた方向へ進もうとする。
【００２２】
ところが、接続部１２に対向した紙搬送路１８に、ガイド面１３ｃとガイド面１６ａが設けてあるため、記録紙１０の紙折れ方向への移動は規制され、記録紙１０は上へと押し上げられる。図中の記録紙１０ｃ、記録紙１０ｄは、その状態を示したものである。
【００２３】
プリンタカバ−１６の紙出口付近に設けられた凹み１６ｃについて言及すれば、凹み１６ｃはクリップ等の落下物の受け部であり、可動刃と固定刃の間へのクリップ等の入り込みを少なくし、カッタ刃のロックを防ぐ目的で設けてある。
【００２４】
なお、本発明は、上述の実施の形態に限るものではなく、様々な構成が考えられる。
【００２５】
例えば、オ−トカッタ方式では、接続部をつくる、ハサミ式、スライド式、ロ−タリ式、ギロチン式のどの方式でも可能であり、切り残された接続部の数や位置を限定するものではない。
【００２６】
例えば、可動刃の記録紙を切断する刃先部の中央部が凹む形状で接続部が中央である場合は、可動刃が移動可能に開口された開口部には接続部が当接してその移動を規制するガイド部を配置しても本願の効果を達成できるものである。
【００２７】
また、接続部に対向したガイド面についても、カッタカバ−や、プリンタカバ−に限定するものではなく、例えば、カッタフレ−ムや記録紙をガイドする部材等に設けることも可能であり、接続部のガイドだけを目的とした専用部品とすること考えられる。
【００２８】
また、本実施の形態では固定刃を記録紙の全幅に渡って配置し、規制部であるガイド面１６ａは固定刃の上に設けているが、可動刃と摺動する長さに固定刃を設定しガイド面をカッタフレーム１４まで延ばしてもよく、更にはカッタフレーム１４側からガイド面を形成してもよい。
【００２９】
【発明の効果】
以上述べたように、本発明によれば、記録紙の接続部近傍が規制部により移動が規制されるので、剛性が弱い接続部で紙が折れ曲がっても、記録紙が搬送されると接続部が規制部に沿って排紙口の方へ移動し、切断された上流側の記録紙の先端部は接続部に導かれて排紙口へ移動され紙ジャムに至ることはなく、紙ジャムによる印刷の中断、ジャム紙の除去といった不具合を防止することができ、信頼性の高いプリンタを提供することができた。しかも、新しく部品を設けずに、既存の部品形状に盛り込むことが充分可能であり、コストアップ無しで紙送りの品質向上が実現できる。
【００３０】
また、規制部は、案内部材の固定刃側及び可動刃側の両方に形成されれば、その効果はより大きくなるものである。
【図面の簡単な説明】
【図１】本発明に係るプリンタの一実施の形態のカッタ機構部の一部を示す斜視図で、固定刃側から見た紙搬送路の状態を示すものである。
【図２】同実施の形態のカッタ機構部の他の一部を示す斜視図で、可動刃側から見た紙搬送路の状態を示すものである。
【図３】同実施の形態の主要機構の構成を示す説明図である。
【図４】同実施の形態のカッタ構成部を示す平面図である。
【図５】同実施の形態のカッタ機構部の紙搬送路の側面図である。
【図６】従来技術のカッタ機構部の紙搬送路の側面図である。
【符号の説明】
２    可動刃
３    固定刃
４    支軸
１１        通紙口
１２        接続部
１３        カッタカバ−
１３ｃ    ガイド面
１４        カッタフレ−ム
１６        プリンタカバ−
１６ａ    ガイド面
【図１】
0003622820.tif 000002
【図２】
0003622820.tif 000003
【図３】
0003622820.tif 000004
【図４】
0003622820.tif 000005
【図５】
0003622820.tif 000006
【図６】
0003622820.tif 000007